(57)【要約】【課題】受水槽の内側および洗濯兼脱水槽の外周壁面あるいは攪拌翼の裏面や受水槽の底表面に付着した汚れなどをユーザーが認識でき、効率良く洗浄を行なうことができる洗濯機を得る。【解決手段】外箱８内に、洗濯物１３が投入される洗濯兼脱水槽３を回転自在に内設した受水槽１を配設し、受水槽１の少なくとも一部に洗濯兼脱水槽３の外周壁面を目視可能な透明部材で形成した受水槽透明部２を構成し、外箱８に透明部材の受水槽透明部を望める覗き窓９を設ける。よって、外箱８の覗き窓９が受水槽透明部２を望める位置に設けられているので、覗き窓９から受水槽透明部２を通して洗濯兼脱水槽３の外周壁面および受水槽１の内周壁面を直接目視できるため、洗濯兼脱水槽３の外周壁面および受水槽１の内周壁面に洗濯物１３に含まれていた汚れ成分や洗剤カスが付着した場合、その付着具合を外箱８の覗き窓９から目視によって確認することができる。【選択図】  図１
2004275480.tif 000002
【特許請求の範囲】
【請求項１】
外箱内に、洗濯物が投入される洗濯兼脱水槽を回転自在に内設した受水槽を配設した洗濯機において、前記受水槽の少なくとも一部を前記洗濯兼脱水槽の外周壁面を目視可能な透明部材で構成し、前記外箱に前記受水槽の外周壁面または透明部材部分を望める覗き窓を設けたことを特徴とする洗濯機。
【請求項２】
外箱内に受水槽を配設し、前記受水槽内に、底部に回転翼を設けた洗濯兼脱水槽を回転自在に配設し、前記攪拌翼に、該攪拌翼の裏側あるいは受水槽底表面を目視可能な透明部材を、少なくとも一部に設けたことを特徴とする洗濯機。
【請求項３】
前記受水槽内に、底部に回転翼を設けた洗濯兼脱水槽を回転自在に配設し、前記攪拌翼の少なくとも一部を透明部材とし、前記攪拌翼の裏側あるいは受水槽底表面の汚れを目視できる構成としたことを特徴とする請求項１記載の洗濯機。
【請求項４】
前記攪拌翼または洗濯兼脱水槽を回転軸より着脱可能とし、前記攪拌翼および洗濯兼脱水槽の回転軸への装着状態を確認する判定を行なうことを特徴とする請求項１〜３いずれか記載の洗濯機。
【請求項５】
前記受水槽の外表面あるいは攪拌翼の裏側あるいは受水槽底表面の汚れを洗浄する槽洗浄コースを設けたことを特徴とする請求項１〜３いずれか記載の洗濯機。
【請求項６】
前記槽洗浄コースは、洗濯兼脱水槽の略中間程度の水位で洗濯兼脱水槽の回転方向を反転させて行なうことを特徴とする請求項５記載の洗濯機。
【発明の詳細な説明】
【０００１】
【産業上の利用分野】
この発明は、ユーザーが受水槽の内側や洗濯兼脱水槽の外周壁面、攪拌翼の裏面などに付着する汚れやカビを認識でき、効率良く洗浄を行なえる洗濯機に関する。
【０００２】
【従来の技術】
従来の洗濯機においては、一般に受水槽はポリプロピレン樹脂などの硬質プラスチック成型品からなり、洗濯兼脱水槽はステンレス板金成型品やＡＢＳ樹脂成型品などからなり、攪拌翼はポリプロピレン樹脂等の硬質プラスチック成型品などから構成されており、外箱は塗装された鋼板成型品で構成されている。通常、受水槽内に洗濯物および洗剤が投入され、洗い行程、脱水行程、濯ぎ行程の一連の行程を経て洗濯行程が終了する。
そして、洗濯兼脱水槽の表面に付着した異物を除去し、洗濯時に剥がれた異物が衣類に付着することを防止するために、槽洗い用の水位を洗濯兼脱水槽の上部に装着された流体バランサーの上端近傍に位置させ、槽洗い専用のコースを設けている。（例えば、特許文献１参照）。
【０００３】
【特許文献１】
特開平８−１９６９２号公報（第６頁、第６図）
【０００４】
【発明が解決しようとする課題】
従来の洗濯機では、洗濯兼脱水槽の外側と受水槽の内側の間は、脱水行程で洗濯兼脱水槽が高速で回転することから安全性を考慮して、一般ユーザーが手を入れることができない構造となっており、洗濯兼脱水槽や攪拌翼を着脱することも安全性の面から容易にできないような構造となっている。このような従来の洗濯機では、外箱や洗濯兼脱水槽や受水槽の外周壁面や受水槽の内壁面や攪拌翼の下面には洗濯物に含まれていた汚れ成分や洗剤カスが付着し、これらの汚れ成分や洗剤カスが洗濯兼脱水槽の外側と受水槽の内側との空間の高湿度雰囲気に存在することによってカビ発生までに進展することがあり、さらにはこのカビが洗った洗濯物に付着し黒く汚すなど不具合を発生させていた。しかしながら、外部から洗濯兼脱水槽の外周壁面や受水槽の内壁面を見ることができないので、カビがどの程度発生しているかを確認することはおろか、カビが発生しているのか否かも分からず、洗濯物を黒く汚したような不具合が発生した場合でも、定期的に洗濯兼脱水槽や攪拌翼を洗濯機から取り外して洗浄することは、安全性の面から容易に着脱作業を行うことはできず、専門の業者に洗浄作業を依頼する他に手段はなかった。
そして、受水槽の内側および洗濯兼脱水槽の外周壁面に付着した汚れやカビなどの汚れを除去するには、洗濯兼脱水槽の上部付近の高さまで槽洗い用の水位を別個に形成するために、第２の排水弁を設ける必要があり、洗濯機の材料費の増大と製造費用の増大を招き、槽洗浄時に洗濯時の高水位の溢水水面より上方まで給水する必要があり、多量の水量を必要とし水道代の増大を招くなどの問題点があった。
【０００５】
この発明は、上述のような課題を解決するためになされたもので、受水槽の内側および洗濯兼脱水槽の外周壁面あるいは攪拌翼の裏面や受水槽の底表面に付着した汚れなどをユーザーが認識でき、効率良く洗浄を行なうことができる洗濯機を得るものである。
【０００６】
【課題を解決するための手段】
この発明に係る洗濯機においては、外箱内に、洗濯物が投入される洗濯兼脱水槽を回転自在に内設した受水槽を配設した洗濯機において、前記受水槽の少なくとも一部を前記洗濯兼脱水槽の外周壁面を目視可能な透明部材で構成し、前記外箱に前記受水槽の外周壁面または透明部材部分を望める覗き窓を設けたものである。
【０００７】
【発明の実施の形態】
実施の形態１．
図１と図２はこの発明の実施の形態１における洗濯機を示す斜視図と断面図である。図において、洗濯液１２を貯める受水槽１内に回転可能に洗濯兼脱水槽３を設け、洗濯兼脱水槽３の底部には攪拌翼４を設けている。洗濯兼脱水槽３や攪拌翼４を駆動する駆動部５を受水槽１の外側底部に設け、駆動部５は駆動制御部６により駆動制御される。受水槽１の上部には、洗濯物１３を投入するための洗濯物投入部７を形成し、受水槽１は外箱８に収納支持されている。受水槽１の一部には光が透過する透明部材からなる受水槽透明部２（特許請求の範囲でいう透明部材）を形成し、外箱８には受水槽透明部２と対向位置で受水槽透明部２を望めるように覗き窓９を設ける。外箱８の上部には洗濯物投入口７の開閉を行なう外蓋１０を設け、外箱８上面部には洗濯行程の各種設定とその状態を制御・表示する制御パネル１１が設けられている。
【０００８】
このように構成された洗濯機においては、外箱８の覗き窓９が受水槽透明部２を望める位置に設けられているので、覗き窓９から受水槽透明部２を通して洗濯兼脱水槽３の外周壁面および受水槽１の内周壁面を直接目視することができる。したがって、洗濯兼脱水槽３の外周壁面および受水槽１の内周壁面に洗濯物１３に含まれていた汚れ成分や洗剤カスが付着した場合、その付着具合を外箱８の覗き窓９から目視によって確認することができる。
【０００９】
また、覗き窓９の高さ位置については、受水槽１の内周壁面および洗濯兼脱水槽３の外周壁面の洗浄液１２の水位設定の高水位付近ならびに受水槽１の内側底面付近に汚れやカビが付着しやすいことから、受水槽透明部２は受水槽１の内側底面付近から洗浄液１２の水位設定の高水位付近までの範囲に設け、覗き窓９は前記範囲を望める位置（例えば受水槽１の内側底面付近から洗浄液１２の水位設定の高水位付近までの範囲）に設ける構成としても良い。
【００１０】
また、受水槽透明部２ならびに覗き窓９は、受水槽１ならびに外箱８の全周どの面に設けてもよいが、一般的に制御パネル１１は洗濯機本体の前面側に設けられ、洗濯物１３の出し入れも洗濯機本体の前面側から行われることなどから、洗濯機は操作者（ユーザー）から見て洗濯機本体の前面が対向するように設置されることが多いので、受水槽１ならびに外箱８の前面側に受水槽透明部２ならびに覗き窓９を設ける構成にすれば壁などで覗き窓９が塞がれるといったことが少ない。
【００１１】
また、覗き窓９は、受水槽透明部２の高水位付近から底面付近までの広範囲を見るために凹レンズで構成してもよい。
【００１２】
また、覗き窓９は、図３に示すように、外箱８の受水槽透明部２を望める位置ドアスコープ１４を設けて、採光のために外蓋１０を開ける構成にしても良い。
【００１３】
実施の形態２．
図４はこの発明の実施の形態２における洗濯機を示す攪拌翼近傍の拡大斜視図である。図において、洗濯兼脱水槽３の底部に設けられている攪拌翼４の一部、ここでは平坦部の一部に光を透過する透明部材からなる攪拌翼透明部１５（特許請求の範囲でいう透明部材）を形成している。
【００１４】
このように受水槽１の底表面を望める位置に配設されている攪拌翼４に、透明部材からなる攪拌翼透明部１５を形成することで、攪拌翼透明部１５を通して受水槽１の底表面あるいは攪拌翼透明部１５の下面（裏面）を直接目視することができ、受水槽１の底表面や攪拌翼４の下面に洗濯物に含まれていた汚れ成分や洗剤カスが付着した場合には、その付着具合を目視によって確認することができる。
【００１５】
実施の形態３．
次に、実施の形態１ならびに実施の形態２における洗濯機の槽洗浄コースについて説明する。図５〜図８はこの発明の実施の形態３における洗濯機の槽洗浄コースを示すフローチャートと槽洗浄コース内の槽洗浄サブプログラムのフロチャート図と槽洗浄コース内の攪拌翼洗浄サブプログラムのフローチャート図と槽洗浄コース内の濯ぎサブプログラムのフローチャート図である。
【００１６】
槽洗浄コースの動作について、図５のフローチャート図に基づいて説明する。図において、槽洗浄コースが選択されると、スタート開始を判定する（ステップ１）。スタートスイッチが押されると給水弁１７が開き、給水を開始する（ステップ２）。給水が開始されると、次に水位センサ１６が所定水位まで給水されたか否かを判定し（ステップ３）、否ならば給水を継続し、肯定ならば給水弁を閉じる（ステップ４）。このときの所定水位は、洗濯兼脱水槽３の略中間程度の高さに設定される。次に、槽洗浄剤の投入を促す表示を制御パネル１１に表示する。そのときブザー等の音声を併用してもよい（ステップ５）。次に、洗浄剤投入完了の判定に移行し（ステップ６）、否ならば洗浄剤投入を促す表示を継続し、肯定ならば攪拌翼洗浄サブプログラムを実行し（ステップ７）、次に攪拌翼サブプログラムを実行し（ステップ８）、攪拌翼４の洗浄を行なう。攪拌翼４の洗浄が終了した後、排水弁１８を開いて洗浄液１２の排水を開始し（ステップ９）、排水完了か否かの判定ルーチンに移行する（ステップ１０）。否ならば排水を継続し、肯定ならば排水弁１８を閉じる（ステップ１１）。そして最後に、濯ぎサブプログラムを実行するルーチンに移行して、洗濯兼脱水槽３や攪拌翼４を濯ぐ（ステップ１２）。濯ぎサブプログラムが終了したならば槽洗浄コースのルーチンを終了するようになっている。
【００１７】
次に、槽洗浄コース内の槽洗浄サブプログラム（ステップ７）の動作について、図６のフローチャートに基づいて説明する。まず、洗濯兼脱水槽３を回転できるように各種パラメータを設定する洗濯兼脱水槽回転モード設定ルーチンを実行する（ステップ１０１）。次に洗濯兼脱水槽３の時計方向回転を開始する（ステップ１０２）。洗濯兼脱水槽３の回転開始直後において、洗濯液１２は静止状態にあるので洗濯兼脱水槽３との間に相対運動が生じる。この相対運動によって洗濯兼脱水槽３の外周壁面が洗浄される。洗濯兼脱水槽３の回転が継続されると洗濯液１２も回転運動を開始し、徐々に回転速度が上昇し始める。そして、洗濯液１２の回転速度が上昇すると遠心力により洗濯兼脱水槽３の外周に行くほど水位が上昇し、受水槽１の上部まで達する。受水槽１と洗濯液１２との相対運動により受水槽１の内周壁面の上部まで洗浄される。また、洗濯兼脱水槽３の回転が開始されると、水位センサ１６は遠心力による水位上昇を判定する（ステップ１０３）。否ならば洗濯兼脱水槽３の回転を継続し、所定水位まで上昇したと判定されたらモータ２０を停止し（ステップ１０４）、同時にブレーキ１９を作動させて洗濯兼脱水槽３を急激に停止させる（ステップ１０５）。洗濯兼脱水槽３を急激に停止させたとき、洗濯液１２は慣性により回転を継続しようとし、洗濯兼脱水槽３との間に相対運動が生じる。この相対運動によって、洗濯兼脱水槽３の外周壁面が再び洗浄される。また、ブレーキ１９作動の後、洗濯兼脱水槽３の回転が停止したか否かの判定が行なわれ（ステップ１０６）、否ならばブレーキ１９の作動を継続し、肯定ならばブレーキ１９の作動を解除し所定時間槽回転を停止する（ステップ１０７）。
【００１８】
次に、洗濯兼脱水槽３の反時計方向回転を開始する（ステップ１０８）。この動作においては、洗濯兼脱水槽３の回転方向が異なるのみで諸動作は時計方向回転と同様であるので詳細な説明は省略する。ただし、洗濯兼脱水槽３の回転方向が反転することにより相対運動の方向も反転することになり、洗濯兼脱水槽３の外周壁面や受水槽１の内周壁面に付着した汚れ等には反対向きの力が作用する。次に、洗濯兼脱水槽３の反時計方向回転が停止したか否かの判定が行なわれ（ステップ１１２）、否ならばブレーキ１９の作動を継続し肯定ならばブレーキ１９の作動を解除し所定時間洗濯兼脱水槽３の槽回転を停止する（ステップ１１３）。次に、ステップ１０２〜ステップ１１３による槽洗浄を所定回数実行したか否かの判定が行なわれ（ステップ１１４）、否ならばステップ１０２に移行して槽洗浄サブプログラムを繰り返し継続し、肯定ならば槽洗浄サブプログラムを終了する。
【００１９】
次に、槽洗浄コース内の攪拌翼洗浄サブプログラム（ステップ８）の動作について、図７のフローチャートに基づいて説明する。まず、攪拌翼４を回転できるよう各種パラメータを設定する攪拌翼回転モード設定ルーチンを実行する（ステップ２０１）。次に、攪拌翼４の時計方向回転を開始する（ステップ２０２）。攪拌翼４と洗浄液１２との相対運動によって攪拌翼４の下面および受水槽１の底表面が洗浄されるが、この洗浄効果を高めるために、攪拌翼４の回転速度は通常の洗濯運転時より高い回転速度に設定されている。次に、攪拌翼４の回転が所定回転に達したか否かの判定が行なわれ（ステップ２０３）、否ならば攪拌翼４の回転を継続し、肯定ならば所定時間攪拌翼４の回転を停止する（ステップ２０４）。この攪拌翼４の所定回転の判定は回転時間の長さで行なわれてもよい。
【００２０】
攪拌翼４の回転を停止した後、攪拌翼４の反時計方向回転を開始する（ステップ２０５）。この動作は、攪拌翼４の回転方向が異なるのみで諸動作は上記した時計方向回転と同様であるので詳細な説明は省略する。攪拌翼４の回転方向が反転することにより攪拌翼４と洗浄液１２あるいは受水槽１の底表面に付着した汚れ等に上述した攪拌翼４が時計方向回転していた時と反対向きの力が作用する。そして、攪拌翼４が所定回転に達したか否かの判定が行なわれ（ステップ２０６）、否ならば回転を継続し、肯定ならば所定時間回転を停止する（ステップ２０７）。次に、ステップ２０２〜２０７による攪拌翼洗浄を所定回数実行したか否かの判定が行なわれ（ステップ２０８）、否ならばステップ２０２に移行し攪拌翼洗浄サブプログラムを継続し、肯定ならば攪拌翼洗浄サブプログラムを終了する。
【００２１】
次に、槽洗浄コース内の濯ぎサブプログラム（ステップ１２）の動作について、図８のフローチャートに基づいて説明する。まず、給水弁１７を開き、受水槽１に給水を開始する（ステップ３０１）。次に、水位センサ１６の出力を基に所定水位に達したか否かの判定が行なわれ（ステップ３０２）、否ならば給水を継続し、肯定ならば給水弁１７を閉じる（ステップ３０３）。このときの水位は、洗濯兼脱水槽３の略中間程度の高さに設定される。そして、前記した槽洗浄サブプログラムを実行するステップ３０４に移行する。次に、前記した攪拌翼洗浄サブプログラムを実行するステップ３０５に移行する。この槽洗浄サブプログラムと攪拌翼サブプログラムを実行することにより、洗濯兼脱水槽３および受水槽１ならびに攪拌翼４が濯がれる。次に排水弁１８を開き、受水槽１の洗浄液１２を排水し、水位センサ１６の出力を基に排水が終了したか否かを判定するルーチンに移行する（ステップ３０７）。否ならば排水を継続し、肯定ならば排水弁１８を閉じ（ステップ３０７）濯ぎサブプログラムを終了する。
【００２２】
このように、槽洗浄コースは、槽洗浄サブプログラム、攪拌翼洗浄サブプログラム、濯ぎサブプログラムを実行することで、洗濯兼脱水槽３を時計方向あるいは反時計方向に回転させることにより洗浄液１２と洗濯兼脱水槽３の外周壁面および受水槽１の内周壁面との相対運動により、洗濯兼脱水槽３の外周壁面および受水槽１の内周壁面に付着した汚れ等に力が作用し、付着した汚れが洗浄される。そして、汚れを含んだ洗浄液１２を排水し、新たに給水し濯ぎサブプログラムを実行することによって、洗濯兼脱水槽３および受水槽１ならびに攪拌翼４が濯がれ、濯ぎ水を排水して運転を終了する。
【００２３】
このようにして、洗濯兼脱水槽３の中間程度の高さに設定された水位のもとで、洗濯兼脱水槽３を時計方向あるいは反時計方向に回転させることにより、洗浄液１２と洗濯兼脱水槽３の外周壁面および受水槽１の内周壁面に付着した汚れ等に力が作用するので、付着した汚れを少ない水量で効率的に洗浄することができる。さらに、攪拌翼４を時計方向あるいは反時計方向に回転させることにより洗浄液１２と攪拌翼４の下面および受水槽１の底表面との相対運動により、攪拌翼４の下面および受水槽１の底表面に付着した汚れ等に力が作用し、付着した汚れを少ない水量で効率的に洗浄することができる。
【００２４】
なお、この槽洗浄コースは、上記実施の形態１および２の覗き窓９、受水槽透明部２、攪拌翼透明部１５から汚れを目視し、操作部のスイッチにより動作させるようにしたり、洗濯行程終了後に自動で行なうようにしても良い。
【００２５】
実施の形態４．
図９と図１０はこの発明の実施の形態４を示す洗濯機の要部断面図と磁気センサの出力チャート図である。図において、１〜５、１９は上記実施の形態１と同一であり、その説明は省略する。攪拌翼４の裏面に１ないし複数個固定して磁石Ａ２２を設け、磁石Ａ２１に対向するように受水槽１の底裏面に１ないし複数個ホール素子あるいはリードスイッチ等からなる磁気センサＡ２２を設ける。洗濯兼脱水槽３の底裏面に複数個磁石Ｂ２３を設け、磁石Ｂ２３に対向するように受水槽１の底裏面に１ないし複数個ホール素子あるいはリードスイッチ等からなる磁気センサＢ２４を設ける。洗濯兼脱水槽３を回転駆動する回転軸Ａ２５をボルトＡ２７で固定し、攪拌翼４を回転駆動する回転軸Ｂ２６をボルトＢ２８で固定する。
【００２６】
このように構成された洗濯乾燥機は、攪拌翼４の下面あるいは受水槽１の内周壁面や洗濯兼脱水槽３の外周壁面に付着した汚れやカビを目視した場合において、ボルトＡ２７あるいはボルトＢ２８を緩め取り外すことにより攪拌翼４あるいは洗濯兼脱水槽３を回転軸から容易に取り外し、攪拌翼４の下面あるいは受水槽１の内周壁面や洗濯兼脱水槽３の外周壁面に付着した汚れやカビをブラシ等で洗浄することができる。
【００２７】
そして、攪拌翼４の下面あるいは受水槽１の内周壁面や洗濯兼脱水槽３の外周壁面に付着した汚れやカビの洗浄が終了した後、洗濯兼脱水槽３あるいは攪拌翼４を回転軸Ａ２５、Ｂ２６に取り付け、ボルトＡ２７、Ｂ２８で固定する。このとき、洗濯兼脱水槽３あるいは攪拌翼４が正しく回転軸Ａ２５、Ｂ２６に取り付けられ、確実に固定されていることが安全上求められる。
【００２８】
次に、洗濯兼脱水槽３あるいは攪拌翼４が正しく回転軸Ａ２５、Ｂ２６に取り付けられ、確実に固定されているか否かの判定する動作について、図１０に基づいて説明する。図１０は、洗濯兼脱水槽３および攪拌翼４に各々３個の磁石Ａおよび磁石Ｂがそれぞれ等角度間隔で取り付けられ、受水槽１の底裏面にそれぞれに対向する位置に各々１個の磁気センサＡおよび磁気センサＢが取り付けられている状態の磁気センサの出力チャート図である。洗濯兼脱水槽３あるいは攪拌翼４が正しく回転軸Ａ２５、Ｂ２６に取り付けられ、確実に固定されているならば、洗濯兼脱水槽３あるいは攪拌翼４を低速度で回転させることにより磁石Ａ１、磁石Ａ２、磁石Ａ３（磁石Ｂ１、磁石Ｂ２、磁石Ｂ３）と磁気センサＡ（磁気センサＢ）とのそれぞれ対応する距離が一定となるため、図１０（ａ）に示すように、磁気センサ出力は磁石Ａ１、磁石Ａ２、磁石Ａ３（磁石Ｂ１、磁石Ｂ２、磁石Ｂ３）の各々の出力が同一レベルとなる。
【００２９】
しかし、洗濯兼脱水槽３あるいは攪拌翼４が正しく回転軸に取り付けられず、傾斜して取り付けられた場合は、磁石Ａ１、磁石Ａ２、磁石Ａ３（磁石Ｂ１、磁石Ｂ２、磁石Ｂ３）と磁気センサＡ（磁気センサＢ）とのそれぞれ対応する距離が各々異なるため図１０（ｂ）に示すように、磁気センサ出力はそれぞれの対応する距離に応じて出力が異なるレベルとなる。
【００３０】
このように、洗濯兼脱水槽３あるいは攪拌翼４が正しく回転軸に取り付けられているか否かは、磁気センサＡ（磁気センサＢ）の出力が同一レベルであるか異なるレベルであるか判定できる。同一レベルであるならば正しく取り付けられていると判定し、これ以降洗濯運転を実行できるように制御パネル１１のメモリに記憶し、設定する。しかし、異なるレベルと判定されたならば洗濯兼脱水槽３あるいは攪拌翼４が正しく回転軸に取り付けられていないと判定され、警報を出すと同時にこれ以降洗濯運転を実行できないように制御パネル１１のメモリに記憶し、設定する。
【００３１】
このようにして、磁気センサＡ（磁気センサＢ）の出力によって洗濯兼脱水槽３あるいは攪拌翼４が正しく回転軸に取り付けられているか否かの判定を行ない、確実に取り付けられていないと判定されたならば、それ以降の洗濯運転を不可能に設定することで、安全性を確保することができ、これにより、ユーザが洗濯兼脱水槽３あるいは攪拌翼４を容易に取り外して洗浄することを可能にすることができる。
【００３２】
なお、上述した磁気センサによる洗濯兼脱水槽３あるいは攪拌翼４の回転軸Ａ２５あるいは回転軸Ｂ２６への装着状態の判定は、操作部のスイッチにより動作させるようにしたり、洗濯兼脱水槽３あるいは攪拌翼４が取り外された時に自動で行なうようにしても良い。
【００３３】
【発明の効果】
この発明は、以上説明したように構成されているので、外箱内に、洗濯物が投入される洗濯兼脱水槽を回転自在に内設した受水槽を配設した洗濯機において、前記受水槽の少なくとも一部を前記洗濯兼脱水槽の外壁を目視可能な透明部材で構成し、前記外箱に前記透明部材部分を望める覗き窓を設けたことにより、受水槽あるいは洗濯兼脱水槽の外周壁面に付着した汚れを容易に目視でき、ユーザーに洗浄を促すことができる。
【図面の簡単な説明】
【図１】この発明の実施の形態１である洗濯機を示す斜視図である。
【図２】この発明の実施の形態１である洗濯機を示す断面図である。
【図３】この発明の実施の形態１である洗濯機を示す斜視図である。
【図４】この発明の実施の形態２である洗濯機を示す攪拌翼近傍の拡大斜視図である。
【図５】この発明の実施の形態３である洗濯機を示す槽洗浄コースのフローチャート図である。
【図６】この発明の実施の形態３である洗濯機を示す槽洗浄サブプログラムのフローチャート図である。
【図７】この発明の実施の形態３である洗濯機を示す攪拌翼洗浄サブプログラムのフローチャート図である。
【図８】この発明の実施の形態３である洗濯機を示す濯ぎサブプログラムのフローチャート図である。
【図９】この発明の実施の形態４である洗濯機を示す要部断面図である。
【図１０】この発明の実施の形態４である洗濯機を示す磁気センサの出力チャート図である。
【符号の説明】
１  受水槽、２  受水槽透明部（透明部材）、３  洗濯兼脱水槽、４  攪拌翼、５  駆動部、６  駆動制御部、７  洗濯物投入部、８  外箱、９  覗き窓、１０  外蓋、１１  制御パネル、１２  洗濯液、１３  洗濯物、１４  ドアスコープ、１５  攪拌翼透明部（透明部材）、１６  水位センサ、１７  給水弁、１８排水弁、１９  ブレーキ、２０  モータ、２１  磁石Ａ、２２  磁気センサＡ、２３  磁石Ｂ、２４  磁気センサＢ、２５  回転軸Ａ、２６  回転軸Ｂ、２７ボルトＡ、２８  ボルトＢ。
【図１】
2004275480.tif 000003
【図２】
2004275480.tif 000004
【図３】
2004275480.tif 000005
【図４】
2004275480.tif 000006
【図５】
2004275480.tif 000007
【図６】
2004275480.tif 000008
【図７】
2004275480.tif 000009
【図８】
2004275480.tif 000010
【図９】
2004275480.tif 000011
【図１０】
2004275480.tif 000012